(57)【要約】【課題】突揚棒による全てのダンパーレバーの所定動作を確保しながら、鍵盤楽器の奥行き寸法を短くでき、全体としてコンパクトに構成することができるアップライト型鍵盤楽器を提供する。【解決手段】各々が上下方向に延びかつ長さ方向の中央付近において回動自在に支持され、複数のアクション３の後方に互いに左右方向に並んだ状態で配置された複数のダンパーレバー２１と、左右方向に延びるダンパーロッド２５と、上下方向に延びるとともにダンパーレバー２１よりも前側に配置され、ペダルの踏み込み操作に伴って上昇する突揚棒２８と、ダンパーロッド２５の長さ方向の一端部と突揚棒２８の上端部との間に設けられ、突揚棒２８が上昇することにより、ダンパーロッド２５を後方に移動させながら、複数のダンパーレバー２１の下部を後方に押圧するように駆動するダンパーレバー駆動機構３１と、を備えている。【選択図】図１
2020154143.tif 000002
【特許請求の範囲】
【請求項１】
複数の鍵及びそれらにそれぞれ対応する複数のアクションが左右方向に並んだ状態に配置されたアップライト型鍵盤楽器であって、
各々が上下方向に延びかつ長さ方向の中央付近において左右方向に延びる軸線を中心として回動自在に支持され、前記複数のアクションにそれぞれ対応しかつ当該複数のアクションの後方に、互いに左右方向に並んだ状態で配置された複数のダンパーレバーと、
左右方向に延び、前記複数のダンパーレバーの下部に前方から当接した状態で前後方向に移動自在に支持されたダンパーロッドと、
上下方向に延びるとともに前記複数のダンパーレバーよりも前側に配置され、ペダルの踏み込み操作に伴って上昇する突揚棒と、
前記ダンパーロッドの長さ方向の一端部と前記突揚棒の上端部との間に設けられ、当該突揚棒が上昇することにより、前記ダンパーロッドを後方に移動させながら、前記複数のダンパーレバーの下部を後方に押圧するように駆動するダンパーレバー駆動機構と、
を備えていることを特徴とするアップライト型鍵盤楽器。
【請求項２】
前記ダンパーロッドは、上方に位置する支点を中心として、前記ペダルの非操作状態において位置する待機位置と、前記複数のダンパーレバーを後方に押圧する押圧位置との間で回動自在に構成され、当該ダンパーロッドの長さ方向の一端部には、下方に所定長さ延びるロッドレバーが設けられており、
前記ダンパーレバー駆動機構は、
前記ロッドレバーの前面に当接するとともに前記突揚棒の上端部に係合し、前記ロッドレバーを後方に押圧するための押圧部材と、
この押圧部材を回動自在に支持する回動支持具と、
を有していることを特徴とする請求項１に記載のアップライト型鍵盤楽器。
【請求項３】
前記押圧部材は、
前後方向に所定長さ延び、後端部が前記ロッドレバーの前面に当接する当接部と、
前記ロッドレバーの下方において前後方向に所定長さ延び、前記支点よりも前方に位置する前端部が前記突揚棒の上端部に係合し、前記支点よりも後方に位置する後端部が、左右方向に延びる軸線を中心として、前記回動支持具に回動自在に支持された回動部と、
前記当接部と前記回動部の前端部同士を連接する連接部と、
を有していることを特徴とする請求項２に記載のアップライト型鍵盤楽器。
【請求項４】
前記当接部は、前記ロッドレバーに当接すべき後端部が前後方向に移動可能に構成されていることを特徴とする請求項３に記載のアップライト型鍵盤楽器。
【請求項５】
前記当接部は、
前後方向に所定長さ延び、前記連接部に連なる支持部と、
前後方向に所定長さ延び、前記支持部に載置された状態で、前後方向に移動可能に構成され、前記支持部よりも後方に突出した状態で固定される当接部本体と、
を有していることを特徴とする請求項４に記載のアップライト型鍵盤楽器。
【発明の詳細な説明】
【技術分野】
【０００１】
本発明は、アップライト型のアコースティックピアノや電子ピアノなどに適用され、複数の鍵及びアクションとともにダンパーレバーを備えたアップライト型鍵盤楽器に関する。
【背景技術】
【０００２】
従来、この種のアップライト型鍵盤楽器として、例えば特許文献１に記載されたものが知られている。この鍵盤楽器は、複数の鍵、アクション、ハンマー及びダンパーを備えた電子ピアノであり、押鍵に伴い、その鍵に対応するアクションが動作することにより、ハンマー及びダンパーが駆動される。なお、この電子ピアノは、電子音源のみによって発音され、弦を備えていないものである。したがって、ハンマーが弦を打ったり、ダンパーが弦を抑えたりする必要がないので、上記ハンマー及びダンパーにはそれぞれ、ハンマーフェルト及びダンパーフェルトが省略されている。
【０００３】
また、上記の電子ピアノでは、アコースティックピアノと同様のダンパーペダルが設けられており、ダンパー周辺の以下の構成により、上記ダンパーペダルの踏み込み操作によて、全てのダンパーがアコースティックピアノのダンパーと同様の動作をするようになっている。
【０００４】
すなわち、複数のダンパーはそれぞれ、上下方向に延びかつ長さ方向の中央付近を中心として回動するダンパーレバーを有しており、それらのダンパーレバーが左右方向に並んだ状態に設けられている。また、ダンパーレバーの前面下部には、全てのダンパーレバーに接した状態で左右方向に延び、後方に回動可能なダンパーロッドが設けられている。このダンパーロッドの一端部には、後方に延びるロッドレバーが設けられ、このロッドレバーの先端部に、上下方向に延びる突揚棒の上端部が係合している。そして、ダンパーペダルの踏み込み操作によって、突揚棒が上方に移動し、ロッドレバーを突き上げると、それに伴い、ダンパーロッドが後方に回動し、全てのダンパーレバーの下部を後方に押圧する。これにより、上記の電子ピアノにおいて、全てのダンパーレバーが所定角度、回動し、アコースティックピアノの全てのダンパーが弦から一斉に離れるのと同様の動作が実現される。
【先行技術文献】
【特許文献】
【０００５】
【特許文献１】特開２００４−１７７４３４号公報
【発明の概要】
【発明が解決しようとする課題】
【０００６】
上述したように、上記の電子ピアノでは、ダンパーペダルの踏み込み操作によって上方に移動する突揚棒は、ダンパーロッドから後方に延びるロッドレバーを突き上げるために、ダンパーレバーよりも後方に配置される。そのため、上記の電子ピアノでは、その筐体において、ダンパーレバーの後方に突揚棒を配置するスペースを確保する必要があり、そのスペースの分、電子ピアノの奥行き寸法が大きくなってしまう。
【０００７】
本発明は、以上のような課題を解決するためになされたものであり、突揚棒による全てのダンパーレバーの所定動作を確保しながら、鍵盤楽器の奥行き寸法を短くでき、全体としてコンパクトに構成することができるアップライト型鍵盤楽器を提供することを目的とする。
【課題を解決するための手段】
【０００８】
上記の目的を達成するために、請求項１に係る発明は、複数の鍵及びそれらにそれぞれ対応する複数のアクションが左右方向に並んだ状態に配置されたアップライト型鍵盤楽器であって、各々が上下方向に延びかつ長さ方向の中央付近において左右方向に延びる軸線を中心として回動自在に支持され、複数のアクションにそれぞれ対応しかつ複数のアクションの後方に、互いに左右方向に並んだ状態で配置された複数のダンパーレバーと、左右方向に延び、複数のダンパーレバーの下部に前方から当接した状態で前後方向に移動自在に支持されたダンパーロッドと、上下方向に延びるとともに複数のダンパーレバーよりも前側に配置され、ペダルの踏み込み操作に伴って上昇する突揚棒と、ダンパーロッドの長さ方向の一端部と突揚棒の上端部との間に設けられ、突揚棒が上昇することにより、ダンパーロッドを後方に移動させながら、複数のダンパーレバーの下部を後方に押圧するように駆動するダンパーレバー駆動機構と、を備えていることを特徴とする。
【０００９】
この構成によれば、ペダルの踏み込み操作に伴って突揚棒が上昇すると、ダンパーレバー駆動機構が作動し、ダンパーロッドを後方に移動させながら、複数のダンパーレバーの下部を後方に押圧するように駆動する。これにより、全てのダンパーレバーを所定角度、回動させることができる。したがって、アップライト型鍵盤楽器が弦を有するアコースティックピアノである場合には、離鍵状態において弦を抑えているダンパーを、ペダル操作によって一斉に弦から離すことができる。一方、アップライト型鍵盤楽器が弦を有しない電子ピアノである場合には、全てのダンパーレバーに対し、アコースティックピアノのダンパーレバーと同様の動作を実行させることができる。
【００１０】
また、ペダルの踏み込み操作によって上昇する突揚棒は、従来と異なり、ダンパーレバーよりも前側に配置されるので、ダンパーレバーの後方に突揚棒用のスペースを確保する必要がない。したがって、本発明によれば、従来のアップライト型鍵盤楽器に比べて、鍵盤楽器の奥行き寸法を短くでき、全体としてコンパクトに構成されたアップライト型鍵盤楽器を得ることができる。
【００１１】
請求項２に係る発明は、請求項１に記載のアップライト型鍵盤楽器において、ダンパーロッドは、上方に位置する支点を中心として、ペダルの非操作状態において位置する待機位置と、複数のダンパーレバーを後方に押圧する押圧位置との間で回動自在に構成され、ダンパーロッドの長さ方向の一端部には、下方に所定長さ延びるロッドレバーが設けられており、ダンパーレバー駆動機構は、ロッドレバーの前面に当接するとともに突揚棒の上端部に係合し、ロッドレバーを後方に押圧するための押圧部材と、この押圧部材を回動自在に支持する回動支持具と、を有していることを特徴とする。
【００１２】
この構成によれば、ダンパーロッドは、上方に位置する支点を中心として、上記の待機位置と押圧位置との間で回動自在に構成されており、ダンパーロッドの長さ方向の一端部には、下方に所定長さ延びるロッドレバーが設けられている。また、ダンパーレバー駆動機構は、上記の押圧部材及び回動支持具を有しており、突揚棒によって、押圧部材が突き上げられると、回動支持具で支持された押圧部材が回動し、ロッドレバーの前面を後方に押圧する。これにより、ダンパーロッドは、待機位置から押圧位置に回動しながら、全てのダンパーレバーの下部を後方に押圧する。このように、比較的簡単な構成のダンパーロッド及びダンパーレバー駆動機構を用いて、ダンパーレバーよりも前側に配置された突揚棒の上昇により、全てのダンパーレバーに対し、所定動作を実行させることができる。
【００１３】
請求項３に係る発明は、請求項２に記載のアップライト型鍵盤楽器において、押圧部材は、前後方向に所定長さ延び、後端部がロッドレバーの前面に当接する当接部と、ロッドレバーの下方において前後方向に所定長さ延び、支点よりも前方に位置する前端部が突揚棒の上端部に係合し、支点よりも後方に位置する後端部が、左右方向に延びる軸線を中心として、回動支持具に回動自在に支持された回動部と、当接部と回動部の前端部同士を連接する連接部と、を有していることを特徴とする。
【００１４】
この構成によれば、押圧部材が、上記の当接部、回動部及び連接部によって、ほぼコ字状に形成されており、前後方向に所定長さ延びる回動部において、前端部が突揚棒の上端部に係合し、その前端部がダンパーロッドの回動中心である支点よりも前方に位置している。また、回動部において、後端部が回動支持具に回動自在に支持されており、その後端部がダンパーロッドの前記支点よりも後方に位置している。上記の回動部の後端部及び前端部、並びに当接部の後端部がそれぞれ、押圧部材が突揚棒で突き上げられる際の支点、力点及び作用点として機能し、その作用点としての当接部の後端部が後方斜め上に移動しながら、ロッドレバーを後方に押圧する。これにより、突揚棒による突上げ力を、ロッドレバーにしっかりと伝達しながら、ダンパーロッドを後方の押圧位置に安定して回動させることができる。その結果として、全てのダンパーレバーに対し、所定動作を安定して実行させることができる。
【００１５】
請求項４に係る発明は、請求項３に記載のアップライト型鍵盤楽器において、当接部は、ロッドレバーに当接すべき後端部が前後方向に移動可能に構成されていることを特徴とする。
【００１６】
鍵盤楽器の製造時の組立誤差などにより、離鍵状態において、ダンパーロッドのロッドレバーと押圧部材の当接部との間に隙間が生じたり、ロッドレバーに当接部が強く当接したりする場合がある。したがって、上記の構成によれば、上述した場合において、当接部の後端部を前後方向に移動させて調整することにより、離鍵状態において、押圧部材の当接部をロッドレバーに適切に当接させることができる。
【００１７】
請求項５に係る発明は、請求項４に記載のアップライト型鍵盤楽器において、当接部は、前後方向に所定長さ延び、連接部に連なる支持部と、前後方向に所定長さ延び、支持部に載置された状態で、前後方向に移動可能に構成され、支持部よりも後方に突出した状態で固定される当接部本体と、を有していることを特徴とする。
【００１８】
この構成によれば、押圧部材の当接部が、上記の支持部及び当接部本体を有しており、当接部本体を、支持部上で前後方向に移動させ、適切な位置に固定することにより、前述した請求項４の作用、効果を、容易に実現することができる。
【図面の簡単な説明】
【００１９】
【図１】本発明の一実施形態によるアップライト型鍵盤楽器を適用した電子ピアノのアクション及びその周囲の構成部品を、離鍵状態において示す側面図である。
【図２】図１の側面図において、ダンパー及びその周囲を拡大して示す図である。
【図３】ダンパーレバー、ダンパーロッド及びダンパーレバー駆動機構の動作を説明するための図であり、（ａ）は突揚棒の上昇前、（ｂ）は突揚棒の上昇後の状態を示している。
【図４】ダンパーレバー駆動機構の第１変形例を示す図である。
【図５】ダンパーレバー駆動機構の第２変形例を示す図であり、（ａ）は当接部本体の平面図、（ｂ）は当接部本体及び支持部を破断して示す図である。
【図６】図５の当接部本体の調整作業を説明するための図であり、（ａ）は当接部本体が最も前側に位置した状態、（ｂ）は当接部本体が最も後ろ側に位置した状態を示す。
【発明を実施するための形態】
【００２０】
以下、図面を参照しながら、本発明の好ましい実施形態を詳細に説明する。図１は、本発明の一実施形態によるアップライト型鍵盤楽器を適用した電子ピアノのアクション及びその周囲の構成部品を、離鍵状態において示している。なお、以下の説明では、演奏者側から見たときのピアノの手前側（図１の右側）を「前」、奥側（図１の左側）を「後」として説明する。
【００２１】
図１に示すように、この電子ピアノ１は、アップライト型のアコースティックピアノ（以下、単に「アップライトピアノ」という）とほぼ同様に、鍵盤２、複数のアクション３、ハンマー４及びダンパー５（いずれも１つずつ図示）を備えており、押鍵に伴い、その鍵２ａに対応するアクション３が動作することにより、ハンマー４及びダンパー５が駆動される。なお、この電子ピアノ１は、アップライトピアノと異なり、ハンマーで打たれたり、ダンパーで抑えられたりする弦を備えていないものであるものの、後述するように、ハンマー４及びダンパー５は、アップライトピアノのハンマー及びダンパーとほぼ同様の動作をするように構成されている。
【００２２】
鍵盤２は、左右方向に並んだ状態で配置された多数の鍵２ａ（図１では１つのみ図示）を備えている。各鍵２ａは、前後方向に延び、その中央付近において、筬６に立設されたバランスピン６ａに回動自在に支持されている。なお、筬６は、電子ピアノ１の上下方向の中央付近に配置された棚板７上に載置されている。
【００２３】
棚板７には、左右方向に並設された複数のブラケット８（図１では１つのみ図示）を介して、センターレール９が設けられている。このセンターレール９は、所定の断面形状を有しており、鍵盤２の全体にわたって左右方向に延びるように構成されている。
【００２４】
アクション３は、一般的なアップライトピアノのアクションと同様に構成されており、鍵盤２の後端部の上方に配置されている。アクション３は、鍵２ａごとに設けられたウィッペン１１、ジャック１２及びバット１３などを備えており、ウィッペン１１及びバット１３は、センターレール９に取り付けられたウィッペンフレンジ１４及びバットフレンジ１５に、それぞれ回動自在に支持されている。ウィッペン１１は、鍵２ａの後端部に設けられたキャプスタン２ｂに載置されている。ウィッペン１１の上面前端部には、バックチェックワイヤ１６ａが立設され、その上端部に、バックチェック１６が取り付けられている。また、ウィッペン１１の上面後端部には、ダンパー５の後述するダンパーレバー２１の前面下端部に当接可能なスプーン１７が立設されている。
【００２５】
ジャック１２は、ウィッペン１１に回動自在に取り付けられており、離鍵状態において、バット１３に下方から係合している。また、ジャック１２とウィッペン１１の間には、ジャックスプリング１２ａが設けられている。バット１３は、バットスプリング１３ａによって、図１の時計方向に付勢されている。また、バット１３の前面には、前方に延びるキャッチャーシャンク１８ａが設けられており、その前端部にキャッチャー１８が取り付けられている。
【００２６】
ハンマー４は、バット１３から上方に所定長さ延びるハンマーシャンク１９ａと、その上端部に取り付けられ、後方に延びるハンマーヘッド１９とを有している。なお、前述したように、電子ピアノ１は、弦を備えていないものであるので、上記のハンマーヘッド１９は、弦を打つものではなく、アップライトピアノの一般的なハンマーヘッドと同程度の重量を有するものである。
【００２７】
また、センターレール９の後方には、前記ダンパー５が設けられている。ダンパー５は、上下方向に延びるダンパーレバー２１と、その上端面に立設されたダンパーワイヤ２２とを有している。なお、このダンパー５は、弦を抑える必要がないので、アップライトピアノの一般的なダンパーと異なり、ダンパーワイヤ２２の上端部にダンパーヘッドは取り付けられていない。
【００２８】
ダンパー５は、ダンパーレバー２１の長さ方向の中央付近において、センターレール９に取り付けられたダンパーフレンジ２４に、左右方向に延びるピン２４ａ（軸線）を中心として回動自在に支持されている。また、ダンパー５は、ダンパーレバースプリング２３によって、図１の反時計方向に付勢されている。さらに、ダンパーレバー２１の前面下部には、ダンパーレバークロス２１ａが設けられており、このダンパーレバークロス２１ａが、ウィッペン１１の上面後端部に立設されたスプーン１７の上端部に、若干の隙間を隔てて対向している。なお、押鍵時には、その鍵２ａに対応するアクション３のウィッペン１１に設けられたスプーン１７がダンパーレバー２１の前面下部を後方に押圧し、それにより、ダンパーレバー２１が時計方向に所定角度、回動する。
【００２９】
図２は、ダンパー５及びその周囲を拡大して示している。同図に示すように、ダンパーレバー２１の下部とセンターレール９との間には、全てのダンパー５を図２の時計方向に回動させるためのダンパーロッド２５が設けられている。このダンパーロッド２５は、所定の径を有する金属製の丸棒から成り、全てのダンパー５にわたって左右方向に延びるとともに、ダンパーレバー２１の下部（ダンパーレバークロス２１ａ）に前方から当接している。また、ダンパーロッド２５は、センターレール９に取り付けられたダンパーロッドヒンジ２６の上下方向に延びる連結アーム２６ａの下端部に連結されている。これにより、ダンパーロッド２５は、ダンパーロッドヒンジ２６により、その連結アーム２６ａの上端部（以下「支点部２７」という）を中心として、後述するダンパーペダルの非操作状態において位置する待機位置（図２及び図３（ａ）参照）と、ダンパーレバー２１を後方に押圧する押圧位置（図３（ｂ）参照）との間で、回動自在に支持されている。
【００３０】
また、ダンパーロッド２５の長さ方向の一端部（本実施形態では左端部）には、下方に所定長さ延び、ダンパーロッド２５と一体に構成されたロッドレバー２５ａが設けられている。そして、このロッドレバー２５ａの下側には、ダンパーロッド２５を介して、全てのダンパー５のダンパーレバー２１を一斉に駆動するダンパーレバー駆動機構３１が設けられている。このダンパーレバー駆動機構３１は、アップライトピアノの一般的なダンパーペダルと同様に構成された図示しないダンパーペダル（以下、単に「ペダル」という）の踏み込み操作によって上昇する突揚棒２８で駆動される。
【００３１】
図２に示すように、ダンパーレバー駆動機構３１は、ダンパーロッド２５のロッドレバー２５ａを押圧するための押圧部材３２と、押圧部材３２を回動自在に支持する回動支持具３３とを有している。押圧部材３２は、前後方向に所定長さ延び、ほぼ球状に形成された後端部３４ａがロッドレバー２５ａの前面下部に当接する当接部３４と、前後方向に所定長さ延び、後端部が回動支持具３３に取り付けられた回動部３５と、当接部３４と回動部３５の前端部同士を連接する連接部３６とにより、側面形状がほぼコ字状に形成されている。また、押圧部材３２の回動部３５の前端部には、貫通孔３５ａが形成されており、その貫通孔３５ａに、ゴムなどから成る所定形状の筒状のブッシュ３７が装着されている。そして、このブッシュ３７の下方から、突揚棒２８の上端面から上方に所定長さ突出する突出軸２８ａが挿入されている。
【００３２】
一方、回動支持具３３は、所定の角度範囲で回転可能なロータ部３３ａと、このロータ部３３ａに固定され、押圧部材３２の回動部３５の上面後端部に取り付けられた取付けプレート３３ｂとを有している。
【００３３】
以上のように構成されたダンパーレバー駆動機構３１では、押圧部材３２の当接部３４及び回動部３５、並びに回動支持具３３のロータ部３３ａが、ダンパーロッド２５に対し、次のような位置関係になるように設定されている。すなわち、押圧部材３２の当接部３４では、その後端部３４ａがダンパーロッド２５のロッドレバー２５ａの前面に当接し、押圧部材３２の回動部３５の突揚棒２８に係合する前端部が、ダンパーロッド２５及びその回動中心である支点部２７よりも前方に位置し、さらに、回動支持具３３のロータ部３３ａの中心が、ダンパーロッド２５及び上記支点部２７よりも後方に位置している。
【００３４】
図３（ａ）及び（ｂ）はそれぞれ、突揚棒２８の上昇前後の状態を示している。同図（ａ）に示す状態では、前述した図１及び２と同様、ダンパーロッド２５は、待機位置に位置しており、ダンパー５のダンパーレバー２１は、ほぼ鉛直線に沿って起立した姿勢になっている。この状態から、ペダルが踏み込まれると、突揚棒２８が所定高さ上昇し、それに伴い、押圧部材３２の回動部３５の前端部が突き上げられる。これにより、図３（ｂ）に示すように、押圧部材３２は、回動支持具３３のロータ部３３ａを中心として、反時計方向に所定角度、回動する。この場合、押圧部材３２の当接部３４の後端部３４ａは、後方斜め上に移動しながら、ロッドレバー２５ａを後方に押圧する。その結果として、ダンパーロッド２５は、待機位置から、図３（ｂ）に示す押圧位置に回動し、それに伴い、ダンパーレバー２１の下部がダンパーロッド２５で前方から押圧されることにより、全てのダンパーレバー２１が時計方向に所定角度、回動する。
【００３５】
以上詳述したように、本実施形態によれば、ペダルの踏み込み操作に伴って突揚棒２８が上昇すると、ダンパーレバー駆動機構３１が作動し、ダンパーロッド２５を後方に回動させながら、全てのダンパーレバー２１の下部を後方に押圧するように駆動する。これにより、全てのダンパーレバー２１を所定角度、回動させることができる。したがって、電子ピアノ１において、全てのダンパー５のダンパーレバー２１に対し、アップライトピアノのダンパーレバーと同様の動作を実行させることができる。
【００３６】
また、ペダルの踏み込み操作によって上昇する突揚棒２８は、従来と異なり、ダンパーレバー２１よりも前側に配置されているので、ダンパーレバー２１の後方に突揚棒２８用のスペースを確保する必要がない。したがって、本実施形態によれば、従来のアップライト型鍵盤楽器に比べて、鍵盤楽器の奥行き寸法、具体的には、図１に示す電子ピアノ１の上前板１０Ｆと背面板１０Ｂとの距離Ｗを短くでき、全体としてコンパクトに構成された電子ピアノ１を得ることができる。
【００３７】
さらに、ダンパーレバー駆動機構３１において、押圧部材３２の回動部３５の後端部及び前端部、並びに当接部３４の後端部３４ａがそれぞれ、押圧部材３２が突揚棒２８で突き上げられる際の支点、力点及び作用点として機能し、その作用点としての当接部３４の後端部３４ａが後方斜め上に移動しながら、ロッドレバー２５ａを後方に押圧する。これにより、突揚棒２８による突上げ力を、ロッドレバー２５ａにしっかりと伝達しながら、ダンパーロッド２５を後方の押圧位置に安定して回動させることができる。その結果として、全てのダンパーレバー２１に対し、所定動作を安定して実行させることができる。
【００３８】
図４（ａ）は、ダンパーレバー駆動機構の第１変形例を示している。このダンパーレバー駆動機構４１では、上述したダンパーレバー駆動機構３１に対し、押圧部材３２の形状及び回動支持具３３の位置のみが異なっている。
【００３９】
すなわち、図４（ａ）に示すダンパーレバー駆動機構４１では、押圧部材４２が上下方向に所定長さ延びる当接部４４と、この下端部に連なって前方に延びる回動部４５とにより、側面形状がＬ字状に形成されている。また、前記回動支持具３３とほぼ同様に構成された回動支持具４３は、そのロータ部４３ａが押圧部材４２の当接部４４と回動部４５の連接部の内側に配置され、それらの当接部４４及び回動部４５が取付けプレート４３ｂを介してロータ部４３ａに固定されている。そして、回動部４５の前端部に、図示しない突揚棒が、前記ダンパーレバー駆動機構３１の押圧部材３２と同様に係合している。
【００４０】
以上のように構成されたダンパーレバー駆動機構４１では、前述した実施形態と同様、突揚棒によって、押圧部材４２の回動部４５の前端部が突き上げられることにより、図４（ｂ）に示すように、押圧部材４２が、回動支持具４３のロータ部４３ａを中心として、反時計方向に所定角度、回動し、ロッドレバー２５ａを後方に押圧する。これにより、ダンパーロッド２５が、待機位置から後方の押圧位置に回動し、それに伴い、ダンパーレバー２１の下部がダンパーロッド２５で前方から押圧されることにより、全てのダンパーレバー２１が時計方向に所定角度、回動する。
【００４１】
図５は、ダンパーレバー駆動機構３１の第２変形例を示している。このダンパーレバー駆動機構５１では、前述したダンパーレバー駆動機構３１に対し、押圧部材３２における当接部３４の構成のみが異なっている。
【００４２】
すなわち、図５（ｂ）に示すダンパーレバー駆動機構５１では、押圧部材５２の当接部５４は、前後方向に所定長さ延び、連接部５６に連なる支持部５７と、その支持部５７の上面に載置された状態で、前後方向に移動可能にねじ止めされた当接部本体５８とを有している。支持部５７には、互いに前後方向に所定間隔を隔てて配置された２つのねじ孔５７ａ、５７ａが形成されている。一方、当接部本体５８は、前後方向に所定長さ延び、後端部が球状に形成されるとともに、各々が前後方向に延び、互いに前後方向に所定間隔を隔てて配置された２つの長孔５８ａ、５８ａが形成されている。そして、当接部本体５８の長孔５８ａ、５８ａを、支持部５７のねじ孔５７ａ、５７ａに合致させた状態で、２つのねじ５９、５９をそれぞれ、各長孔５８ａに挿入するとともに、それに対応するねじ孔５７ａにねじ込むことにより、当接部本体５８が、各ねじ５９の頭部５９ａで下方に押圧された状態で、支持部５７に固定される。
【００４３】
上記のように構成された押圧部材５２の当接部５４では、各ねじ５９を緩めることにより、当接部本体５８を支持部５７に対して、長孔５８ａの長さ分、前後方向に移動させることが可能である。図６（ａ）及び（ｂ）はそれぞれ、当接部本体５８が最も前側に位置した状態及び最も後ろ側に位置した状態を示している。同図に示すように、当接部本体５８を、前後方向に調整幅Ａ分、調整することができる。このように、当接部５４（当接部本体５８）の後端部を前後方向に移動させて調整することにより、押圧部材５２の当接部５４をロッドレバー２５ａに適切に当接させることができる。
【００４４】
なお、本発明は、説明した実施形態に限定されることなく、種々の態様で実施することができる。例えば、実施形態では、本発明を適用したアップライト型の電子ピアノ１を例示したが、本発明はこれに限定されるものではなく、アコースティックピアノにももちろん適用することが可能である。また、上述した第２変形例では、当接部５４の支持部５７上で当接部本体５８を前後方向に移動可能に構成したが、例えば、当接部本体５８に代えて、支持部５７の後端面に所定長さを有するねじを前後方向に進退可能にねじ込み、そのねじの頭部をロッドレバー２５ａに当接させるようにしてもよい。さらに、実施形態で示した電子ピアノ１、ダンパーレバー２１、ダンパーロッド２５、突揚棒２８及びダンパーレバー駆動機構３１、４１、５１の細部の構成などは、あくまで例示であり、本発明の趣旨の範囲内で適宜、変更することができる。
【符号の説明】
【００４５】
１    電子ピアノ（アップライト型鍵盤楽器）
２    鍵盤
２ａ  鍵
３    アクション
４    ハンマー
５    ダンパー
９    センターレール
１０Ｆ  上前板
１０Ｂ  背面板
２１    ダンパーレバー
２４    ダンパーフレンジ
２４ａ  ダンパーフレンジのピン（軸線）
２５    ダンパーロッド
２５ａ  ロッドレバー
２６    ダンパーロッドヒンジ
２７    支点部（支点）
２８    突揚棒
３１    ダンパーレバー駆動機構
３２    押圧部材
３３    回動支持具
３３ａ  ロータ部
３４    当接部
３４ａ  後端部
３５    回動部
３５ａ  貫通孔
３６    連接部
４１    ダンパーレバー駆動機構
４２    押圧部材
４３    回動支持具
５１    ダンパーレバー駆動機構
５２    押圧部材
５４    当接部
５５    回動部
５６    連接部
５７    支持部
５７ａ  ねじ孔
５８    当接部本体
５８ａ  長孔
５９    ねじ
５９ａ  ねじの頭部
Ａ    当接部本体の調整幅
Ｗ    上前板と背板の距離
【図１】
2020154143.tif 000003
【図２】
2020154143.tif 000004
【図３】
2020154143.tif 000005
【図４】
2020154143.tif 000006
【図５】
2020154143.tif 000007
【図６】
2020154143.tif 000008